(57)【要約】【課題】  本発明は電源ケーブルの脱落防止構造に係り、インレットへの電源ケーブルの接続／取り外しと同時に脱落防止具の取り付け／取り外しが容易に行えると共に、脱落防止具の再使用が可能な電源ケーブルの脱落防止構造を提供することを目的とする。【解決手段】  電源ケーブルの差込プラグを囲むように係合片と左右の取付片とで平面視コ字状に形成された脱落防止具と、装置の筐体に取り付くインレットの左右に形成され、前記脱落防止具の左右の取付片の端部が挿通可能な左右一対の取付穴とからなる電源ケーブルの脱落防止構造であって、前記脱落防止具は、前記係合片の中央縁部に前記差し込みプラグのプラグ後端部の外形形状に沿った凹状の係合部が形成されると共に、左右の取付片の端部側に、前記取付穴の周縁部に係止するスリットが設けられていることを特徴とする。【選択図】    図２
2011249266.tif 000002
【特許請求の範囲】
【請求項１】
電源ケーブルの差込プラグを囲むように係合片と左右の取付片とで平面視コ字状に形成された脱落防止具と、
装置の筐体に取り付くインレットの左右に形成され、前記脱落防止具の左右の取付片の端部が挿通可能な左右一対の取付穴とからなる電源ケーブルの脱落防止構造であって、
前記脱落防止具は、前記係合片の中央縁部に前記差し込みプラグのプラグ後端部の外形形状に沿った凹状の係合部が形成されると共に、左右の取付片の端部側に、前記取付穴の周縁部に係止するスリットが設けられていることを特徴とする電源ケーブルの脱落防止構造。
【請求項２】
前記スリットは、脱落防止具の左右の取付片の上下に形成されていることを特徴とする請求項１に記載の電源ケーブルの脱落防止構造。
【請求項３】
前記スリットは、左右の取付片に複数形成されていることを特徴とする請求項１または請求項２に記載の電源ケーブルの脱落防止構造。
【請求項４】
前記脱落防止具は、弾性を以って形成されていることを特徴とする請求項１乃至請求項３のいずれか１項に記載の電源ケーブルの脱落防止構造。
【請求項５】
電源ケーブルの差込プラグを囲むように係合片と左右の取付片とで平面視コ字状に形成された弾性を有する脱落防止具と、
装置の筐体に取り付くインレットの左右に形成され、断面略Ｌ字状の側壁と底部の３面構造からなる左右一対の受け部とからなる電源ケーブルの脱落防止構造であって、
前記脱落防止具は、前記係合片の中央縁部に前記差し込みプラグのプラグ後端部の外形形状に沿った凹状の係合部が形成されると共に、左右の取付片の端部に、前記受け部に係止可能な係止片が外方へ折曲されていることを特徴とする電源ケーブルの脱落防止構造。
【請求項６】
前記脱落防止具の左右の取付片は、一対の前記受け部間の間隔より幅広に外方へ拡開していることを特徴とする請求項５に記載の電源ケーブルの脱落防止構造。
【請求項７】
電源ケーブルの差込プラグの外形形状に沿って変形可能な一枚の帯状部材の中央に、当該差込プラグが圧入可能な圧入穴が形成された脱落防止具と、
装置の筐体に取り付くインレットの左右に突設された係止突起とからなる電源ケーブルの脱落防止構造であって、
前記脱落防止具の左右の端部側に、前記係止突起に係止可能な係止穴が設けられていることを特徴とする電源ケーブルの脱落防止構造。
【請求項８】
前記係止穴は、脱落防止具の左右の端部側に、夫々、複数設けられていることを特徴とする請求項７に記載の電源ケーブルの脱落防止構造。
【請求項９】
前記圧入穴の周縁部に、複数本のスリットが形成されていることを特徴とする請求項７または請求項８に記載の電源ケーブルの脱落防止構造。
【請求項１０】
電源ケーブルの差込プラグを囲むように係合片と外方に拡開する左右の取付片とで断面略コ字状に形成された弾性を有する電源ケーブルの脱落防止具と、
装置の筐体に取り付くインレットの左右に形成され、前記脱落防止具の左右の取付片の端部が挿通可能で、当該両端部間の間隔よりも幅狭な間隔で形成された左右一対の取付穴とからなる電源ケーブルの脱落防止構造であって、
前記脱落防止具は、前記係合片の中央縁部に前記差し込みプラグのプラグ後端部の外形形状に沿った凹状の係合部が形成されると共に、左右の取付片の端部に、前記取付穴に係止可能な係止片が外方へ折曲されていることを特徴とする電源ケーブルの脱落防止構造。
【請求項１１】
左右の前記取付片の端部側に、前記取付穴の周縁部に係止するスリットが設けられていることを特徴とする請求項１０に記載の電源ケーブルの脱落防止構造。
【請求項１２】
前記スリットは、脱落防止具の左右の取付片の上下に形成されていることを特徴とする請求項１１に記載の電源ケーブルの脱落防止構造。
【請求項１３】
前記スリットは、左右の取付片に複数形成されていることを特徴とする請求項１１または請求項１２に記載の電源ケーブルの脱落防止構造。
【発明の詳細な説明】
【技術分野】
【０００１】
本発明は、通信系装置等のインレットから電源ケーブルが容易に抜けないようにした電源ケーブルの脱落防止構造に関する。
【背景技術】
【０００２】
一般に通信系装置は、ラックの上下に搭載して通信運用を開始するが、この種の装置は、装置の筐体側にインレットが設けられ、当該インレットに電源ケーブルの差込プラグが差し込まれて外部電源と接続されるものが多い。
【０００３】
そして、ラックから装置を引き出す際に電源ケーブルがインレットから抜けてしまうことがないように、また、作動中にラックの周辺で作業者が誤って電源ケーブルを引っ掛けてインレットから抜けてしまうことがないように、従来、結束バンドを使用して電源ケーブルを装置側と固定したり、特許文献１に開示されるようなケーブル固定装置を用いて電源ケーブルの脱落防止を図っている。
【０００４】
図１４は特許文献１に開示されたケーブル固定装置を示し、通信装置１の筐体３の側面のインレット５に電源ケーブル７の差込プラグ９が差し込まれ、インレット５の上部に、差込プラグ９の脱落防止を図る樹脂製の係止具１１が取り付けられている。
【０００５】
係止具１１は、帯状に形成された係止具本体１３の一端側に折曲片１５が形成され、当該折曲片１５に係止具１１をインレット５上部の筐体３にネジ１７で固定する取付穴（図示せず）が設けられ、係止具本体１３の他端側に差込プラグ９のプラグ後端部９ａを締め付け可能なバンド１９を備えている。
【０００６】
そして、前記折曲片１３を筐体３にネジ止めし、バンド１９の一端側に設けた係止部２１の穴２３にバンド１９を通してプラグ後端部９ａを締め付けることで、係止具１１を介して電源ケーブル７を筐体３に固定できるようになっている。
【先行技術文献】
【特許文献】
【０００７】
【特許文献１】特開２００１−６８１１号公報
【発明の概要】
【発明が解決しようとする課題】
【０００８】
しかし乍ら、前記結束バンドは、その取付け／取り外しに時間がかかると共に、電源ケーブル側に結束バンドが取り付くため、他の電源ケーブルを使用した場合にはその結束バンドを使用できず、新たな結束バンドを電源ケーブルに取り付けなければならない煩わしさがあった。
【０００９】
一方、図１４の従来例にあっては、筐体３への係止具１１のネジ止めに手間がかかると共に、係止部２１の穴２３にバンド１９を一旦通してしまうとバンド１９の取り外しができず、他の電源ケーブルを使用する場合には、新たに係止具１１を筐体３や電源ケーブルに取り付けなければならない不具合が指摘されている。
【００１０】
本発明は斯かる実情に鑑み案出されたもので、インレットへの電源ケーブルの接続／取り外しと同時に脱落防止具の取り付け／取り外しが容易に行えると共に、脱落防止具の再使用が可能な電源ケーブルの脱落防止構造を提供することを第１の目的とする。
【００１１】
そして、本願の第２の目的は、異なるサイズの電源ケーブルに対応可能な電源ケーブルの脱落防止構造を提供することにある。
【課題を解決するための手段】
【００１２】
斯かる目的を達成するため、請求項１に係る発明は、電源ケーブルの差込プラグを囲むように係合片と左右の取付片とで平面視コ字状に形成された脱落防止具と、装置の筐体に取り付くインレットの左右に形成され、前記脱落防止具の左右の取付片の端部が挿通可能な左右一対の取付穴とからなる電源ケーブルの脱落防止構造であって、前記脱落防止具は、前記係合片の中央縁部に前記差し込みプラグのプラグ後端部の外形形状に沿った凹状の係合部が形成されると共に、左右の取付片の端部側に、前記取付穴の周縁部に係止するスリットが設けられていることを特徴とする。
【００１３】
そして、請求項２に係る発明は、請求項１に記載の電源ケーブルの脱落防止構造に於て、前記スリットは、脱落防止具の左右の取付片の上下に形成されていることを特徴とし、請求項３に係る発明は、請求項１または請求項２に記載の電源ケーブルの脱落防止構造に於て、前記スリットは、左右の取付片に複数形成されていることを特徴とする。
【００１４】
更に、請求項４に係る発明は、請求項１乃至請求項３のいずれか１項に記載の電源ケーブルの脱落防止構造に於て、前記脱落防止具は、弾性を以って形成されていることを特徴とする。
【００１５】
また、請求項５に係る発明は、電源ケーブルの差込プラグを囲むように係合片と左右の取付片とで平面視コ字状に形成された弾性を有する脱落防止具と、装置の筐体に取り付くインレットの左右に形成され、断面略Ｌ字状の側壁と底部の３面構造からなる左右一対の受け部とからなる電源ケーブルの脱落防止構造であって、前記脱落防止具は、前記係合片の中央縁部に前記差し込みプラグのプラグ後端部の外形形状に沿った凹状の係合部が形成されると共に、左右の取付片の端部に、前記受け部に係止可能な係止片が外方へ折曲されていることを特徴とし、請求項６に係る発明は、請求項５に記載の電源ケーブルの脱落防止構造に於て、前記脱落防止具の左右の取付片は、一対の前記受け部間の間隔より幅広に外方へ拡開していることを特徴とする。
【００１６】
一方、請求項７に係る発明は、電源ケーブルの差込プラグの外形形状に沿って変形可能な一枚の帯状部材の中央に、当該差込プラグが圧入可能な圧入穴が形成された脱落防止具と、装置の筐体に取り付くインレットの左右に突設された係止突起とからなる電源ケーブルの脱落防止構造であって、前記脱落防止具の左右の端部側に、前記係止突起に係止可能な係止穴が設けられていることを特徴とする。
【００１７】
そして、請求項８に係る発明は、請求項７に記載の電源ケーブルの脱落防止構造に於て、前記係止穴は、脱落防止具の左右の端部側に、夫々、複数設けられていることを特徴とし、請求項９に係る発明は、請求項７または請求項８に記載の電源ケーブルの脱落防止構造に於て、前記圧入穴の周縁部に、複数本のスリットが形成されていることを特徴とする。
【００１８】
更に、請求項１０に係る発明は、電源ケーブルの差込プラグを囲むように係合片と外方に拡開する左右の取付片とで断面略コ字状に形成された弾性を有する電源ケーブルの脱落防止具と、装置の筐体に取り付くインレットの左右に形成され、前記脱落防止具の左右の取付片の端部が挿通可能で、当該両端部間の間隔よりも幅狭な間隔で形成された左右一対の取付穴とからなる電源ケーブルの脱落防止構造であって、前記脱落防止具は、前記係合片の中央縁部に前記差し込みプラグのプラグ後端部の外形形状に沿った凹状の係合部が形成されると共に、左右の取付片の端部に、前記取付穴に係止可能な係止片が外方へ折曲されていることを特徴とする。
【００１９】
また、請求項１１に係る発明は、請求項１０に記載の電源ケーブルの脱落防止構造に於て、左右の前記取付片の端部側に、前記取付穴の周縁部に係止するスリットが設けられていることを特徴とし、請求項１２に係る発明は、請求項１１に記載の電源ケーブルの脱落防止構造に於て、前記スリットは、脱落防止具の左右の取付片の上下に形成されていることを特徴とする。
【００２０】
そして、請求項１３に係る発明は、請求項１１または請求項１２に記載の電源ケーブルの脱落防止構造に於て、前記スリットは、左右の取付片に複数形成されていることを特徴とする。
【発明の効果】
【００２１】
各請求項に係る発明によれば、インレットへの電源ケーブルの接続／取り外しと同時に脱落防止具の取り付け／取り外しが容易に行えると共に、取り外した脱落防止具を再使用することができる利点を有する。
【００２２】
そして、請求項２及び請求項１２に係る発明によれば、ラックの上下に搭載された装置の位置に応じ脱落防止具を反転させて使用することで電源ケーブルの確実な脱落防止が図れる。
【００２３】
また、請求項３、請求項８、請求項９及び請求項１３によれば、差込プラグのサイズの異なる複数種の電源ケーブルに対応できる利点を有する。
【００２４】
更にまた、請求項４、請求項５、請求項６及び請求項１０に係る発明によれば、脱落防止具が弾性を有することで、脱落防止具が筐体に強固に取り付いて確実に電源ケーブルの脱落防止を図ることができる。
【図面の簡単な説明】
【００２５】
【図１】請求項１、請求項２及び請求項４の一実施形態に係る電源ケーブルの脱落防止構造に用いる脱落防止具の全体斜視図である。
【図２】脱落防止構造の概略構成図である。
【図３】脱落防止構造の全体斜視図である。
【図４】請求項５の一実施形態に係る電源ケーブルの脱落防止構造に用いる脱落防止具の全体斜視図である。
【図５】脱落防止構造の概略構成図である。
【図６】脱落防止構造の全体斜視図である。
【図７】請求項７乃至請求項９の一実施形態に係る電源ケーブルの脱落防止構造に用いる脱落防止具の全体斜視図である。
【図８】脱落防止構造の概略構成図である。
【図９】脱落防止構造の全体斜視図である。
【図１０】請求項１０の一実施形態に係る電源ケーブルの脱落防止構造に用いる脱落防止具の全体斜視図である。
【図１１】脱落防止構造の概略構成図である。
【図１２】脱落防止構造の全体斜視図である。
【図１３】請求項１０乃至請求項１３の一実施形態に係る電源ケーブルの脱落防止構造に用いる脱落防止具の全体斜視図である。
【図１４】従来のケーブル固定装置の全体斜視図である。
【発明を実施するための形態】
【００２６】
以下、本発明の実施形態を図面に基づいて詳細に説明する。
【００２７】
図１乃至図３は請求項１、請求項２及び請求項４の一実施形態に係る電源ケーブルの脱落防止構造を示し、図２に於て、３１はラック（図示せず）の上下に搭載された複数の通信系装置の中の一つの装置で、従来と同様、その筐体３３の側面（正面側側面）３５にインレット３７が設けられ、当該インレット３７に電源ケーブル３９の差込プラグ４１が差し込まれる。
【００２８】
そして、インレット３７の左右の側面３５に、夫々、幅狭な正面視矩形状の取付穴（長穴）４３が上下方向に設けられており、両取付穴４３に電源ケーブル３９（差込プラグ４１）の脱落防止を図る脱落防止具４５が取り付くようになっている。
【００２９】
図１及び図２に示すように脱落防止具４５は、差込プラグ４１の外形形状に沿って一枚の短冊状の薄肉な弾性を有する板金を折曲して、中央の係合片４７と左右の取付片４９とで平面視コ字状に形成されており、係合片４７の中央縁部には、差し込みプラグ４１のプラグ後端部５１に係合可能な半円形状（凹状）の係合部５３が設けられている。
【００３０】
一方、取付片４９の端部５５側は前記取付穴４３に挿通可能で、両取付片４９の端部５５側の上下の同一位置に、前記取付穴４３の周縁部に係止可能なスリット５７、５９が設けられている。
【００３１】
尚、インレット３７を挟んだ左右一対の取付穴４３の間隔は、左右の取付片４９の間隔よりも幅狭とされており、左右の取付片４９を左右の取付穴４３に挿通させる際は、両取付片４９の端部５５側を指で内方に変形させ、挿通後、取付穴４３の周縁部にスリット５７，５９の一方を係止させて端部５５側から指を離すと、端部５５側は板金自体の復元力で取付片４３の外側周縁部に圧接するようになっている。
【００３２】
また、例えばラックの下段側に搭載された装置３１をラックから引き出したり、作業者が誤ってラックの下段側に搭載された装置３１の電源ケーブル３９を引っ掛けてしまうと、インレット３７に差し込まれている差込プラグ４１（電源ケーブル３９）には上方に引き抜き力がかかることが多く、反対にラックの上段側に搭載された装置３１を引き出したり作業者が誤って電源ケーブル３９を引っ掛けてしまうと、インレット３７に差し込まれている差込プラグ４１には下方に引き抜き力がかかることが多い。
【００３３】
そこで、ラックの下段側に搭載された装置３１のインレット３７への電源ケーブル３９の接続の際には、図２に示すように先ず、前記係合部５３をプラグ後端部５１の上部に係合する。そして、両取付片４９の端部５５側を内方に指で変形させて取付穴４３に挿通させ乍ら差込プラグ４１をインレット３７に差し込み、取付穴４３の周縁部にスリット５９を係止させて取付片４９から指を離せば、図３に示すように差込プラグ４１を囲繞するように脱落防止具４５が筐体３３に取り付き、係合部５３がプラグ後端部５１の上部に係合して、差込プラグ４１にかかる上方への引き抜き力に対し脱落防止具４５が差込プラグ４１の脱落を防止するようになっている。
【００３４】
一方、ラックの上段側に搭載された装置３１のインレット３７への電源ケーブル３９の接続の際には、図示しないが脱落防止具４５の上下を反転させて、前記係合部５３をプラグ後端部５１の下部に係合する。そして、以下、同様に両取付片４９の端部５５側を内方に指で変形させて取付穴４３に挿通させ乍ら差込プラグ４１をインレット３７に差し込み、取付穴４３の周縁部にスリット５７を係止させて取付片４９から指を離せば、差込プラグ４１を囲繞するように脱落防止具４５が筐体３３に取り付き、係合部５３がプラグ後端部５１の下部に係合して、差込プラグ４１にかかる下方への引き抜き力に対し脱落防止具４５が差込プラグ４１の脱落を防止するようになっている。
【００３５】
本実施形態はこのように構成されているから、既述したようにラックの下段側に搭載された装置３１に電源ケーブル３９を接続する場合には、図２に示すように先ず、脱落防止具４５の係合部５３をプラグ後端部５１の上部に係合する。そして、両取付片４９の端部５５側を内方に指で変形させて取付穴４３に挿通させ乍ら差込プラグ４１をインレット３７に差し込み、取付穴４３の周縁部にスリット５９を係止させて取付片４９から指を離せば、図３に示すように差込プラグ４１を囲繞するように脱落防止具４５が筐体３３に取り付き、係合部５３がプラグ後端部５１の上部に係合して、差込プラグ４１にかかる上方への引き抜き力に対し脱落防止具４５が差込プラグ４１の脱落を防止する。
【００３６】
そして、脱落防止具４５は弾性を有し、端部５５側が板金自体の復元力で取付片４３の外側周縁部に圧接しているため、取付穴４３の周縁部とスリット５９との係止状態が容易に解除されず、脱落防止具４５が筐体３３に強固に取り付くこととなる。
【００３７】
一方、ラックの上段側に搭載された装置３１に電源ケーブル３９を接続する場合には、脱落防止具４５の上下を反転させて、先ず、脱落防止具４５の係合部５３をプラグ後端部５１の下部に係合する。そして、両取付片４９の端部５５側を内方に指で変形させて取付穴４３に挿通させ乍ら差込プラグ４１をインレット３７に差し込み、取付穴４３の周縁部にスリット５７を係止させて取付片４９から指を離せば、差込プラグ４１を囲繞するように脱落防止具４５が筐体３３に取り付き、係合部５３がプラグ後端部５１に係合して、差込プラグ４１にかかる下方への引き抜き力に対し脱落防止具４５が差込プラグ４１の脱落を防止する。
【００３８】
また、例えば図３の如くインレット３７に差し込まれた差込プラグ４１を取り外す際には、脱落防止具４５の左右の取付片４９の端部５５側を内方に指で変形させて、取付穴４３の周縁部とスリット５９との係止状態を解除し乍ら差込プラグ４１を引き抜けば、同時に脱落防止具４５を筐体３３から簡単に取り外すことができ、取り外された脱落防止具４５は再使用可能である。
【００３９】
このように本実施形態によれば、従来の結束バンドや図１４の係止具１１に比し、インレット３７への電源ケーブル３９の接続／取り外しと同時に脱落防止具４５の取り付け／取り外しが容易に行えると共に、取り外した脱落防止具４５を再使用することができる利点を有する。
【００４０】
而も、脱落防止具４５はラックの上下に搭載された装置３１の位置に応じ反転させて使用することで電源ケーブル３９の確実な脱落防止が図れると共に、脱落防止具４５は弾性を有し、板金自体の復元力で取付片４９が取付穴４３の外側周縁部に圧接しているため、取付穴４３の周縁部とスリット５７、５９との係止状態が容易に解除されず、脱落防止具４５が筐体３３に強固に取り付いて確実に電源ケーブル３９の脱落防止を図ることができる。
【００４１】
そして、前記脱落防止具４５の構成に加え、図示しない請求項３の一実施形態の如く、前記スリット５７、５９を左右の取付片４９の上下に複数形成すれば、差込プラグのサイズの異なる複数種の電源ケーブルに対応できる利点を有する。
【００４２】
尚、前記実施形態では脱落防止具４５に弾性を持たせたが、脱落防止具に弾性を持たせず、脱落防止具を、左右一対の前記取付穴４３と同一の間隔で形成された左右一対の取付片と係合片とからなる平面視略コ字状に形成して、その端部側に前記スリット５７、５９を設けてもよいことは勿論である。
【００４３】
図４乃至図６は請求項５の一実施形態に係る電源ケーブルの脱落防止構造を示し、図５に於て、６１はインレット３７の左右の側面３５に突設された一対の受け部で、図示するように両受け部６１は、断面略Ｌ字状の側壁６３と底部６５の３面構造からなり、何れもインレット３７側に側壁６３は開口している。そして、左右の前記一対の受け部６１に、インレット３７に差し込んだ電源ケーブル３９の脱落防止を図る脱落防止具６７が取り付くようになっている。
【００４４】
図４及び図５に示すように脱落防止具６７は、前記脱落防止具４５と同様、差込プラグ４１の外形形状に沿って一枚の短冊状の薄肉な弾性を有する板金を折曲して、中央の係合片６９と左右の取付片７１とで平面視コ字状に形成され、係合片６９の中央縁部に係合部５３が設けられている。
【００４５】
一方、左右の取付片７１の端部には、前記受け部６１に係止可能な係止片７３が外方へ直角に折曲されており、両取付片７１の端部側を指で内方にやや変形させて係止片７３を受け部６１内に配置すれば、図６に示すように弾性を有する板金自体の復元力で取付片７１が側壁６３の端部に圧接すると共に、係止片７３が側壁６３の裏面側に当接、係止するようになっている。
【００４６】
本実施形態はこのように構成されているから、前記実施形態と同様、ラックの下段側に搭載された装置３１に電源ケーブル３９を接続する場合には、図５に示すように脱落防止具６７の係合部５３をプラグ後端部５１の上部に係合し、左右の取付片７１の端部側を内方に指で変形させて係止片７３を受け部６１内に配置させ乍ら、差込プラグ４１をインレット３７に差し込んで取付片７１から指を離せば、図６に示すように差込プラグ４１を囲繞するように脱落防止具６７が筐体３３に取り付き、係合部５３がプラグ後端部５１の上部に係合し、且つ係止片７３が側壁６３に当接、係止して、差込プラグ４１にかかる上方への引き抜き力に対し脱落防止具６７が差込プラグ４１の脱落を防止する。
【００４７】
而も、脱落防止具６７は弾性を有し、図６に示すように板金自体の復元力で取付片７１が側壁６３の端部に圧接しているため、脱落防止具６７が筐体３３に強固に取り付くこととなる。
【００４８】
一方、ラックの上段側に搭載された装置３１に電源ケーブル３９を接続する場合には、脱落防止具６７の上下を反転させて、脱落防止具６７の係合部５３をプラグ後端部５１の下部に係合し、左右の取付片７１の端部側を内方に指で変形させて係止片７３を受け部６１内に配置させ乍ら、差込プラグ４１をインレット３７に差し込んで取付片７１から指を離せば、差込プラグ４１を囲繞するように脱落防止具６７が筐体３３に取り付き、係合部５３がプラグ後端部５１の下部に係合し、且つ係止片７３が側壁６３に当接、係止して、差込プラグ４１にかかる下方への引き抜き力に対し脱落防止具６７が差込プラグ４１の脱落を防止する。
【００４９】
また、例えば図６の如くインレット３７に差し込まれた差込プラグ４１を取り外す際には、脱落防止具６７の左右の取付片７１の端部側を内方に指で変形させて、係止片７３と側壁６３との係止状態を解除し乍ら差込プラグ４１を引き抜けば、同時に脱落防止具６７を筐体３３から簡単に取り外すことができ、取り外された脱落防止具６７は再使用可能である。
【００５０】
このように本実施形態によっても、インレット３７への電源ケーブル３９の接続／取り外しと同時に脱落防止具６７の取り付け／取り外しが容易に行えると共に、取り外された脱落防止具６７の再使用ができる利点を有する。
【００５１】
而も、脱落防止具６７はラックの上下に搭載された装置３１の位置に応じ反転させて使用することで電源ケーブル３９の確実な脱落防止が図れると共に、脱落防止具６７は弾性を有し、図６の如く板金自体の復元力で取付片７１が側壁６３の端部に圧接しているため、脱落防止具６７が筐体３３に強固に取り付き、確実に電源ケーブル３９の脱落防止を図ることができる。
【００５２】
また、図示しないが、請求項６の一実施形態の如く前記脱落防止具６７の左右の取付片７１を、左右一対の前記受け部６１間の間隔より幅広に外方へ拡開させれば、板金自体の復元力で取付片７１が側壁６３の端部により強固に圧接するため、脱落防止具６７が筐体３３により強固に取り付き、より確実に電源ケーブル３９の脱落防止を図ることができる。
【００５３】
図７乃至図９は請求項７乃至請求項９の一実施形態に係る電源ケーブルの脱落防止構造を示し、図中、７５は図９の如く差込プラグ４１の側部と後部の外形形状に沿って変形可能な一枚の帯状（短冊状）に形成されたゴム製の脱落防止具で、その中央に差込プラグ４１が圧入可能な圧入穴７７が形成され、当該圧入穴７７の周縁部に９０°の間隔を空けて４本のスリット７９が設けられている。
【００５４】
更に、脱落防止具７５の左右の端部側には、夫々、図８及び図９に示すように筐体３３のインレット３７の左右に１つ宛突設した係止突起８１に係止可能な２つの係止穴８３が脱落防止具７５の長手方向に設けられており、図８に示すように差込プラグ４１を圧入穴７７に圧入させて当該圧入穴７７でプラグ後端部５１を保持した状態で、差込プラグ４１に沿って脱落防止具７５を変形させた後、差込プラグ４１をインレット３７に差し込み乍ら、差込プラグ４１の大きさに応じ、左右の係止片８３の夫々の何れか一つに係止突起８１を係止させれば、図９に示すように筐体３３に取り付いた脱落防止具７５が差込プラグ４１の脱落防止を図るようになっている。
【００５５】
本実施形態はこのように構成されているから、ラックに搭載された装置３１に電源ケーブル３９を接続する場合、図８に示すように差込プラグ４１を圧入穴７７に圧入させて、当該圧入穴７７でプラグ後端部５１を保持した状態で、差込プラグ４１に沿って脱落防止具７５を変形させた後、差込プラグ４１をインレット３７に差し込み乍ら、差込プラグ４１の大きさに応じ、左右の係止片８３の夫々の何れか一つに係止突起８１を係止させれば、図９に示すように筐体３３に取り付いた脱落防止具７５が差込プラグ４１の脱落防止を図ることとなる。
【００５６】
このように脱落防止具７５を筐体３３に固定する際には、差込プラグ４１の大きさに応じて、左右の係止片８３の夫々の何れか一つに係止突起８１を係止させればよく、而も、脱落防止具７５はゴムで形成されて伸縮性を有し、更に、圧入穴７７の周縁部に９０°の間隔を空けて４本のスリット７９が設けられているため、差込プラグのサイズの異なる複数種の電源ケーブルに対応することができる。
【００５７】
また、インレット３７から差込プラグ４１を外す際には、係止片８３と係止突起８１との係止状態を解除するだけでよい。
【００５８】
このように、本実施形態によっても、既述した各実施形態と同様、所期の目的を達成することが可能で、インレット３７への電源ケーブル３９の接続／取り外しと同時に脱落防止具７５の取り付け／取り外しが容易に行え、取り外された脱落防止具７５の再使用ができると共に、差込プラグのサイズの異なる複数種の電源ケーブルに対応することができる利点を有する。
【００５９】
尚、前記実施形態では、帯状の脱落防止具７５をゴムで形成したが、その他、例えば変形可能な樹脂材料を用いてもよいことは勿論である。
【００６０】
図１０乃至図１２は請求項１０の一実施形態に係る電源ケーブルの脱落防止構造を示し、筐体３３のインレット３７の左右の側面３５に、図２の実施形態と同様、取付穴４３が設けられており、両取付穴４３に脱落防止を図る脱落防止具８５が取り付くようになっている。
【００６１】
図１０及び図１１に示すように脱落防止具８５は、差込プラグ４１を囲むように一枚の短冊状の薄肉な弾性を有する板金を折曲して、中央の係合片８７と外方に拡開する左右の取付片８９とで平面視コ字状に形成されており、左右の取付片８９は、左右の取付穴４３より幅広に外方に拡開している。
【００６２】
そして、係合片８７の中央縁部に、差し込みプラグ４１のプラグ後端部５１に係合可能な円弧状の係合部９１が設けられているが、図示するように係合部９１は、半円状に形成された図１の係合部５３に比し、プラグ後端部５１の略全周を保持、係合可能な正面視Ｃ字状に形成されて下方が開口した形状となっている。そして、係合部９１に沿って帯状の保持片９３が後方に突設されている。
【００６３】
一方、外方に拡開する左右の取付片８９の端部には、前記取付穴４３に係止可能な係止片９５が外方へ平面視略く字状に折曲されており、左右の取付片８９の端部側を指で内方に変形させて係止片９５を取付穴４３に係止すれば、図１２に示すように弾性を有する板金自体の復元力で取付片８９が取付穴４３の外側周縁部に圧接し乍ら、係止片９５が取付穴４３の裏面側周縁部に当接するようになっている。
【００６４】
本実施形態はこのように構成されているから、ラックの下段側に搭載された装置３１に電源ケーブル３９を接続する場合には、先ず、図１１に示すように差込プラグ４１の上方からプラグ後端部５１を係合部５３で保持、係合する。
【００６５】
そして、両取付片８９の端部側を内方に指で変形させて係止片９５を取付穴４３内に差し込み乍ら、差込プラグ４１をインレット３７に差し込んで取付片８９から指を離せば、図１２に示すように差込プラグ４１を囲繞するように脱落防止具８５が筐体３３に取り付き、係合部９１がプラグ後端部５１の上方から係合し、且つ係止片９５が取付穴４３の裏面側周縁部に当接して、差込プラグ４１にかかる上方への引き抜き力に対し脱落防止具８５が差込プラグ４１の脱落を防止する。
【００６６】
而も、脱落防止具８５は弾性を有し、図１２に示すように板金自体の復元力で取付片８９が取付穴４３の外側周縁部に圧接しているため、脱落防止具８５が筐体３３に強固に取り付き、そして、係合部９１に沿って形成された帯状の保持片９３が、プラグ後端部５１を幅広く保持する。
【００６７】
一方、図示しないがラックの上段側に搭載された装置３１に電源ケーブル３９を接続する場合には、脱落防止具８５の上下を反転させて、係合部９１でプラグ後端部５１を下方から保持、係合する。以下、同様に、両取付片８９の端部側を内方に指で変形させて係止片９５を取付穴４３内に差し込み乍ら、差込プラグ４１をインレット３７に差し込んで取付片８９から指を離せばよく、差込プラグ４１を囲繞するように脱落防止具８５が筐体３３に取り付き、係合部９１がプラグ後端部５１の下方から係合し、且つ係止片９５が取付穴４３の裏面側周縁部に当接して、差込プラグ４１にかかる下方への引き抜き力に対し脱落防止具８５が差込プラグ４１の脱落を防止する。
【００６８】
また、例えば図１２の如くインレット３７に差し込まれた差込プラグ４１を取り外す際には、左右の取付片８９の端部側を内方に指で変形させて、係止片９５と取付穴４３との係止状態を解除し乍ら差込プラグ４１を引き抜けば、同時に脱落防止具８５を筐体３３から簡単に取り外すことができ、取り外された脱落防止具８５は再使用可能である。
【００６９】
このように本実施形態によっても、インレット３７への電源ケーブル３９の接続／取り外しと同時に脱落防止具８５の取り付け／取り外しが容易に行えると共に、取り外された脱落防止具８５の再使用ができる利点を有する。
【００７０】
而も、脱落防止具８５はラックの上下に搭載された装置３１の位置に応じ反転させて使用することで電源ケーブル３９の確実な脱落防止が図れると共に、脱落防止具８５は弾性を有するため、図１２の如く板金自体の復元力で取付片８９が取付穴４３の外側周縁部に圧接して脱落防止具８５が筐体３３に強固に取り付き、確実に電源ケーブル３９の脱落防止を図ることができる。
【００７１】
図１３は請求項１０乃至請求項１３の一実施形態に係る電源ケーブルの脱落防止構造に用いる脱落防止具を示し、この脱落防止具９７は、前記脱落防止具８５の構造に加え、左右の取付片８９の端部側の上下の同一位置に、前記取付穴４３の周縁部に係止可能な複数のスリット９９、１０１を設けたものである。
【００７２】
尚、その他の構成は図１０の実施形態と同様であるので、同一のものには同一符号を付してそれらの説明は省略する。
【００７３】
而して、本実施形態によれば、取付穴４３の周縁部に係止させるスリット９９、１０１を選択することで、差込プラグのサイズの異なる複数種の電源ケーブルに対応できると共に、図１の実施形態に比し、係合部９１に沿って形成された帯状の保持片９３がプラグ後端部５１を幅広く確実に保持する作用効果を有する。
【符号の説明】
【００７４】
３１  装置
３３  筐体
３５  側面
３７  インレット
３９  電源ケーブル
４１  差込プラグ
４３  取付穴
４５、６７、７５、８５、９７  脱落防止具
４７、６９、８７  係合片
４９、７１、８９  取付片
５１  プラグ後端部
５３、９１  係合部
５５  取付片の端部
５７、５９、９９，１０１  スリット
６１  受け部
６３  側壁
６５  底部
７３、９５  係止片
７７  圧入穴
７９  スリット
８１  係止突起
８３  係止穴
９３  保持片
【図１】
2011249266.tif 000003
【図２】
2011249266.tif 000004
【図３】
2011249266.tif 000005
【図４】
2011249266.tif 000006
【図５】
2011249266.tif 000007
【図６】
2011249266.tif 000008
【図７】
2011249266.tif 000009
【図８】
2011249266.tif 000010
【図９】
2011249266.tif 000011
【図１０】
2011249266.tif 000012
【図１１】
2011249266.tif 000013
【図１２】
2011249266.tif 000014
【図１３】
2011249266.tif 000015
【図１４】
2011249266.tif 000016